(57)【要約】【課題】装着時に左右を入れ替えて装着可能とされているヘッドホーン等の出力装置であって、耳に対してヘッドバンドがやや前傾姿勢となるように装着可能な出力装置を提供する。【解決手段】ヘッドホーンは、（ａ）に示すように、頭部（耳部）に接触してヘッドホーンを頭部に固定すると共に耳に音声を出力するスピーカー部１を左右に有している。スピーカー部１内にはスピーカーが内蔵され、両耳に音声を出力する。左右のスピーカー部１は、（ｂ）、（ｃ）に示すように、それぞれの回動軸３を介してヘッドバンド部２により結合されている。左右の回動軸３は、それぞれ、ヘッドホーンを頭部に装着したときの前から見て左右となる向きを軸心としている。よって、左右のスピーカー部１の回動は、ヘッドホーン装着時の前後方向に行われる。【選択図】  図１
2008147744.tif 000002
【特許請求の範囲】
【請求項１】
頭部に装着して使用し、音声又は映像の少なくとも一方を出力する出力装置であって、頭部側面と接触する左右の固定部材と、前記固定部材を連結して、前記固定部材を頭部側面の左右に押し付けるような付勢力を与えるヘッドバンド部とを有し、前記固定部材は、前記ヘッドバンド部に対して、頭部装着時の前から見て左右となる向きを軸として回動可能とされていることを特徴とする出力装置。
【請求項２】
請求項１に記載の出力装置であって、前記固定部材は、それぞれの側の耳に音声出力が可能とされ、前記固定部材の回動角に応じて、左右の音声の切換を行う機能を有することを特徴とする出力装置。
【請求項３】
請求項１又は請求項２に記載の出力装置であって、眼に映像を表示する表示部を有し、前記固定部材の回動角に応じて、表示部に表示される映像の上下左右を切り替える機能を有することを特徴とする出力装置。
【請求項４】
請求項１から請求項３のうちいずれか１項に記載の出力装置であって、前記左右の固定部の回動の向きが異なる場合に警報を発する機能を有することを特徴とする出力装置。
【請求項５】
請求項１から請求項４のうちいずれか１項に記載の出力装置であって、前記固定部の回動角に応じて、前記固定部が左側用か右側用かを表示する機能を有することを特徴とする出力装置。
【請求項６】
請求項１から請求項５のうちいずれか１項に記載の出力装置であって、当該出力装置又は当該出力装置と接続された装置を操作する操作部材を、前記固定部に有し、前記操作部材は、前記固定部を回動させると、それに連動して前記固定部材の回動方向と逆方向に回動可能とされていることを特徴とする出力装置。
【発明の詳細な説明】
【技術分野】
【０００１】
本発明は、ヘッドホーンやヘッドマウントディスプレイ等、頭部に装着して使用し、音声又は映像の少なくとも一方を出力する出力装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなウェアラブルディスプレイは、通常は、映像を表示する表示部と音声を出力するヘッドホーンとを有している。又、ヘッドホーンは、音楽観賞用等の音声出力機器として、広く使用されている。
【特許文献１】ＷＯ２００４／０６１５１９Ａ１公報
【発明の開示】
【発明が解決しようとする課題】
【０００４】
このようなヘッドホーン（ヘッドマウントディスプレイに付属しているもの等を含む）は、頭部側面（耳部）と接触する左右の固定部材と、前記固定部材を連結して、前記固定部材を頭部側面の左右に押し付けるような付勢力を与えるヘッドバンド部とを有しているのが普通である。
【０００５】
そして、ヘッドホーンを装着する場合、耳に対してヘッドバンドがやや前傾姿勢となるように装着すると装着感が良い。一方、特にヘッドマウントディスプレイに使用されるようなヘッドホーンにおいては、装着時に左右を入れ替えて装着可能であることが求められることがある。このようなヘッドホーンは、左右入れ替え装着を可能とするために前後対称な形状とされているため、耳に対してヘッドバンドがやや前傾姿勢となるように装着することができず、装着感が悪いという問題点がある。
【０００６】
本発明はこのような事情に鑑みてなされたもので、装着時に左右を入れ替えて装着可能とされているヘッドホーン等の出力装置であって、耳に対してヘッドバンドがやや前傾姿勢となるように装着可能な出力装置を提供することを課題とする。
【課題を解決するための手段】
【０００７】
前記課題を解決するための第１の手段は、頭部に装着して使用し、音声又は映像の少なくとも一方を出力する出力装置であって、頭部側面と接触する左右の固定部材と、前記固定部材を連結して、前記固定部材を頭部側面の左右に押し付けるような付勢力を与えるヘッドバンド部とを有し、前記固定部材は、前記ヘッドバンド部に対して、頭部装着時の前から見て左右となる向きを軸として回動可能とされていることを特徴とする出力装置である。
【０００８】
前記課題を解決するための第２の手段は、前記第１の手段であって、前記固定部材は、それぞれの側の耳に音声出力が可能とされ、前記固定部材の回動角に応じて、左右の音声の切換を行う機能を有することを特徴とするものである。
【０００９】
前記課題を解決するための第３の手段は、前記第１の手段又は第２の手段であって、眼に映像を表示する表示部を有し、前記固定部材の回動角に応じて、表示部に表示される映像の上下左右を切り替える機能を有することを特徴とするものである。
【００１０】
前記課題を解決するための第４の手段は、前記第１の手段から第３の手段のいずれかであって、前記左右の固定部の回動の向きが異なる場合に警報を発する機能を有することを特徴とするものである。
【００１１】
前記課題を解決するための第５の手段は、前記第１の手段から第４の手段のいずれかであって、前記固定部の回動角に応じて、前記固定部が左側用か右側用かを表示する機能を有することを特徴とするものである。
【００１２】
前記課題を解決するための第６の手段は、前記第１の手段から第５の手段のいずれかであって、当該出力装置又は当該出力装置と接続された装置を操作する操作部材を、前記固定部に有し、前記操作部材は、前記固定部を回動させると、それに連動して前記固定部材の回動方向と逆方向に回動可能とされていることを特徴とするものである。
【発明の効果】
【００１３】
本発明によれば、装着時に左右を入れ替えて装着可能とされているヘッドホーン等の出力装置であって、耳に対してヘッドバンドがやや前傾姿勢となるように装着可能な出力装置を提供することができる。
【発明を実施するための最良の形態】
【００１４】
以下、本発明の実施の形態の例を、図を用いて説明する。図１は、本発明の実施の形態の１例であるヘッドホーンの概要を示す図である。このヘッドホーンは、図１（ａ）に示すように、頭部（耳部）に接触してヘッドホーンを頭部に固定すると共に耳に音声を出力するスピーカー部１（固定部材）を左右に有している。スピーカー部１内にはスピーカーが内蔵され、それぞれの耳に音声を出力する。
【００１５】
左右のスピーカー部１は、図１（ｂ）、（ｃ）に示すように、それぞれの回動軸３を介してヘッドバンド部２により結合されている。ヘッドバンド部２は、弾性力を有し、左右のスピーカー部１で装着者の頭部（耳部）を挟み込むような付勢力を与えている。
【００１６】
左右の回動軸３は、それぞれ、ヘッドホーンを頭部に装着したときの前から見て左右となる向きを軸心としている。よって、左右のスピーカー部１の回動は、ヘッドホーン装着時の前後方向に行われる。
【００１７】
図１（ｂ）は、図示された側のスピーカー部１が頭側部の左側に使用される状態でのスピーカー部１の回動位置を示している。この状態で、スピーカー部１を頭側部の左側にして装着すれば、耳に対してヘッドバンド部２がやや前傾姿勢となるように装着することができ、装着感が良い。スピーカー部１を回動させ図１（ｃ）のような位置に来るようにすると、図示されている側のスピーカー部１を頭側部の右側にして使用するような状態となる。すなわち、この状態で、スピーカー部１を頭側部の右側にして装着すれば、耳に対してヘッドバンド部２がやや前傾姿勢となるように装着することができ、装着感が良い。
【００１８】
このように、ヘッドバンド部２に対するスピーカー部１の回動方向を変えることにより、ヘッドホーンの装着の左右を入れ替えることができる。このとき、スピーカー部１が左側用となっているか、右側用となっているかを表示する手段を設けておくことが好ましい。
【００１９】
図２に、その手段の１例を示す。なお、以下の図において、前出の図に示された構成要素と同じ構成要素には、同じ符号を付してその説明を省略することがある。この例においては、スピーカー部１に、Ｒ、Ｌの表示を設けておき、図２（ａ）に示すような状態のときは、覆い部４によりＬが隠されてＲのみが表示され、スピーカー部１が右側用であることを示し、図２（ｂ）に示すような状態のときは、覆い部４によりＲが隠されてＬのみが表示され、スピーカー部１が左側用であることを示している。なお、電気的手段により、スピーカー部１の回動方向を検出し、それに応じて、ＬＥＤ表示等により、スピーカー部１が左側用となっているか、右側用となっているかを表示するようにしてもよい。
【００２０】
以上示したように、スピーカー部１の回動の向きにより、左側用か右側用かが決定されるので、例えば、回動の向きを検出する検出器を付けておき、それに応じてスピーカー部１に出力する音声の左右を切り替えるようにすることができる。又、ヘッドマウントディスプレイの場合は、ヘッドホーンの左右の入れ替えにより、映像表示部の上下左右が反転する構造となっていることがある。その場合には、スピーカー部１の回動の向きに応じて、映像表示部に表示される映像の上下左右を反転させることにより、装着者が見る映像が正しい向きに表示されるようにすることができる。
【００２１】
又、左右のスピーカー部１の回動の方向が、両方とも右側用となっていたり、両方とも左側用となっていたりした場合には、前述のような検出器によりそれを検出し、音声、映像、ＬＥＤ表示等により警報を出すようにすることもできる。
【００２２】
ところで、特にヘッドマウントディスプレイに使用されるようなヘッドホーンには、ヘッドマウントディスプレイ又はそれに接続された装置を操作するための操作部がヘッドホーンのスピーカー部１に設けられる場合がある。その例を図３に示す。
【００２３】
図３（ａ）において、操作部として十字キー５が設けられている。ヘッドバンド部２が前傾していると装着感が良くなる一方で、操作部（十字キー５）は、後傾している方が操作性が良くなる。ヘッドホーンの装着の左右を入れ替えたとき、十字キー５の傾きが入れ替わらないようにするためには、ヘッドバンド部２に対してスピーカー部１の回動の方向と逆方向に、十字キー５を回動させてやる必要がある。すなわち、例えば、左側用のスピーカー部１がヘッドバンド部２に対してθ１だけ回動しているときに、十字キー５がヘッドバンド部２に対してθ２だけ回動した状態が正常な装着状態であったとすると、スピーカー部１がヘッドバンド部２に対して−θ１だけ回動したしたとき、十字キー５がヘッドバンド部２に対して−θ２だけ回動した状態になるようにすると、スピーカー部１を右側用として使用したとき十字キー５の傾きが入れ替わらないようにすることができる。
【００２４】
図３（ｂ）、（ｃ）は、このような機構の１例を示すもので、ヘッドバンド部２に固定されたギア６を有し、これに十字キー５に一体化されたギア（図示せず）が噛み合った構造となっている。ギア６の中心と回動軸３の中心は一致している。このような状態で、ヘッドバンド部２が回動軸３を中心にして回動すると、ギア６が太陽歯車、十字キー５に一体化したギアが遊星歯車となり、ヘッドバンド部２に対してスピーカー部１が回動したとき、十字キー５を、ヘッドバンド部２に対してスピーカー部２と反対向きに回動させることができる。ギアの変わりにローラを用いてもよい。なお、図３において、スピーカー部１を、音声を出力しない単なる固定部材に入れ替えてもよい。
【図面の簡単な説明】
【００２５】
【図１】本発明の実施の形態の１例であるヘッドホーンの概要を示す図である。
【図２】スピーカー部が左側用となっているか、右側用となっているかを表示する手段を設けた例を示す図である。
【図３】ヘッドホーンのスピーカー部に操作部が設けられた例を示す図である。
【符号の説明】
【００２６】
１…スピーカー部、２…ヘッドバンド部、３…回動軸、４…覆い部、５…十字キー、６…ギア
【図１】
2008147744.tif 000003
【図２】
2008147744.tif 000004
【図３】
2008147744.tif 000005